(57)【要約】【課題】従来技術の問題を解決するための、無線通信システムにおける基準セルのメンテナンス方法を提供する。【解決手段】無線通信システムにおける移動デバイスのための基準セルのメンテナンス方法を開示する。前記方法は、複数のセカンダリセルを設定するステップであって、前記複数のセカンダリセルの一セカンダリセルは、他のセカンダリセルの情報基準のための基準セルであるステップと、前記基準セルが情報基準のために他のセカンダリセルにより用いられているとき、前記基準セルをアクティブ化しておくステップとを有する。【選択図】図３
2013102432.tif 000002
【特許請求の範囲】
【請求項１】
無線通信システムにおける移動デバイスのための基準セルのメンテナンス方法であって、
複数のセカンダリセルを設定するステップであって、前記複数のセカンダリセルの一セカンダリセルは、他のセカンダリセルの情報基準のための基準セルであるステップと、
前記基準セルが情報基準のために前記他のセカンダリセルにより用いられているとき、前記基準セルをアクティブ化しておくステップと、を有する方法。
【請求項２】
前記基準セルが情報基準のために他のセカンダリセルにより用いられているとき、前記基準セルをアクティブ化しておくステップは、
前記基準セルが情報基準のため他のセカンダリセルにより用いられ、前記他のセカンダリセルの第２の非アクティブ化タイマーがスタート又は再スタートされたとき、前記基準セルの第１の非アクティブ化タイマーをスタート又は再スタートするステップであって、前記第１又は第２の非アクティブ化タイマーはセカンダリセルのアクティブ化の期間を与えるために用いられるステップと、
前記基準セルが情報基準のため他のセカンダリセルにより用いられ、前記他のセカンダリセルの非アクティブ化タイマーがスタート又は再スタートされたとき、前記基準セルの延長タイマーをスタート又は再スタートするステップであって、前記非アクティブ化タイマーはセカンダリセルのアクティブ化の期間を与えるために用いられ、前記延長タイマーは基準セルのアクティブ化のための期間を与えるために用いられるタイマーであるステップと、
前記基準セルが情報基準のため他のセカンダリセルにより用いられ、前記他のセカンダリセルにアップリンクグラントが割り当てられたとき、前記基準セルの非アクティブ化タイマーをスタート又は再スタートするステップであって、前記非アクティブ化タイマーは基準セルのアクティブ化の期間を与えるために用いられるステップと、
前記基準セルが情報基準のため他のセカンダリセルにより用いられ、前記他のセカンダリセルにアップリンクグラントが割り当てられたとき、前記基準セルの延長タイマーをスタート又は再スタートするステップであって、前記延長タイマーは基準セルのアクティブ化の期間を与えるために用いられるステップと、を有する
請求項１に記載の方法。
【請求項３】
前記基準セルが情報基準として他のセカンダリセルにより用いられ、前記他のセカンダリセルの前記第２の非アクティブ化タイマーがスタート又は再スタートされたとき、前記基準セルの前記第１の非アクティブ化タイマーをスタート又は再スタートするステップは、
前記基準セルが情報基準のために他のセカンダリセルにより用いられ、前記他のセカンダリセルの前記第２の非アクティブ化タイマーがスタート又は再スタートされ、前記他のセカンダリセルの又はそれを含む時間アライメント（ＴＡ）グループの時間アライメントタイマー（ＴＡＴ）が動いているとき、前記基準セルの第１の非アクティブ化タイマーをスタート又は再スタートするステップであって、前記ＴＡＴをアップリンク送信同期を示すために用いるステップを有する、
請求項２に記載の方法。
【請求項４】
前記基準セルが情報基準として他のセカンダリセルにより用いられ、前記他のセカンダリセルの前記非アクティブ化タイマーがスタート又は再スタートされたとき、前記基準セルの延長タイマーをスタート又は再スタートするステップは、
前記基準セルが情報基準のために他のセカンダリセルにより用いられ、前記他のセカンダリセルの前記非アクティブ化タイマーがスタート又は再スタートされ、前記他のセカンダリセルの又はそれを含む時間アライメント（ＴＡ）グループの時間アライメントタイマー（ＴＡＴ）が動いているとき、前記基準セルの延長タイマーをスタート又は再スタートするステップであって、前記ＴＡＴをアップリンク送信同期を示すために用いるステップを有する、請求項２に記載の方法。
【請求項５】
前記基準セルが情報基準として他のセカンダリセルにより用いられ、前記他のセカンダリセルに対してアップリンクグラントが割り当てられたとき、前記基準セルの前記非アクティブ化タイマーをスタート又は再スタートするステップは、
前記基準セルが情報基準のために他のセカンダリセルにより用いられ、前記他のセカンダリセルに対してアップリンクグラントが割り当てられ、前記他のセカンダリセルの又はそれを含む時間アライメント（ＴＡ）グループの時間アライメントタイマー（ＴＡＴ）が動いているとき、前記基準セルの非アクティブ化タイマーをスタート又は再スタートするステップであって、前記ＴＡＴをアップリンク送信同期を示すために用いるステップを有し、
前記基準セルが情報基準として他のセカンダリセルにより用いられ、前記他のセカンダリセルに対してアップリンクグラントが割り当てられたとき、前記基準セルの前記延長タイマーをスタート又は再スタートするステップは、
前記基準セルが情報基準として他のセカンダリセルにより用いられ、前記他のセカンダリセルに対してアップリンクグラントが割り当てられ、前記ＴＡＴが動いているとき、前記基準セルの前記延長タイマーをスタート又は再スタートするステップを有する、
請求項２に記載の方法。
【請求項６】
前記基準セルの第１の非アクティブ化タイマーがスタート又は再スタートされたとき、前記基準セルの禁止タイマーをスタート又は再スタートするステップを有し、
前記基準セルが情報基準として他のセカンダリセルにより用いられ、前記他のセカンダリセルの前記第２の非アクティブ化タイマーがスタート又は再スタートされたとき、前記基準セルの前記第１の非アクティブ化タイマーをスタート又は再スタートするステップは、
前記基準セルが情報基準として他のセカンダリセルにより用いられ、前記他のセカンダリセルの前記第２の非アクティブ化タイマーがスタート又は再スタートされ、前記禁止タイマーが満了したとき、前記基準セルの前記第１の非アクティブ化タイマーをスタート又は再スタートするステップをさらに有する、
請求項２に記載の方法。
【請求項７】
前記基準セルの延長タイマーがスタート又は再スタートされたとき、前記基準セルの禁止タイマーをスタート又は再スタートするステップを有し、
前記基準セルが情報基準として他のセカンダリセルにより用いられ、前記他のセカンダリセルの前記非アクティブ化タイマーがスタート又は再スタートされたとき、前記基準セルの延長タイマーをスタート又は再スタートするステップは、
前記基準セルが情報基準として他のセカンダリセルにより用いられ、前記他のセカンダリセルの前記非アクティブ化タイマーがスタート又は再スタートされ、前記禁止タイマーが満了したとき、前記基準セルの前記延長タイマーをスタート又は再スタートするステップをさらに有する、
請求項２に記載の方法。
【請求項８】
前記基準セルの延長タイマーがスタート又は再スタートされたとき、前記基準セルの禁止タイマーをスタート又は再スタートするステップを有し、
前記基準セルが情報基準として他のセカンダリセルにより用いられ、前記他のセカンダリセルに対してアップリンクグラントが割り当てられたとき、前記基準セルの前記非アクティブ化タイマーをスタート又は再スタートするステップは、
前記基準セルが情報基準として他のセカンダリセルにより用いられ、前記他のセカンダリセルに対してアップリンクグラントが割り当てられ、前記前記禁止タイマーが満了したとき、前記基準セルの前記非アクティブ化タイマーをスタート又は再スタートするステップと、
前記基準セルが情報基準として他のセカンダリセルにより用いられ、前記他のセカンダリセルに対してアップリンクグラントが割り当てられ、前記前記禁止タイマーが満了したとき、前記基準セルの前記延長タイマーをスタート又は再スタートするステップと、
を有する、請求項２に記載の方法。
【請求項９】
前記基準セルの第１の非アクティブ化タイマーがスタート又は再スタートされたとき、前記基準セルの禁止タイマーをスタート又は再スタートするステップを有し、
前記基準セルが情報基準として他のセカンダリセルにより用いられ、前記他のセカンダリセルの前記第２の非アクティブ化タイマーがスタート又は再スタートされ、前記ＴＡＴが動いているとき、前記基準セルの前記第１の非アクティブ化タイマーをスタート又は再スタートするステップは、
前記基準セルが情報基準として他のセカンダリセルにより用いられ、前記他のセカンダリセルの前記第２の非アクティブ化タイマーがスタート又は再スタートされ、前記ＴＡＴが動いており、前記禁止タイマーが満了したとき、前記基準セルの前記第１の非アクティブ化タイマーをスタート又は再スタートするステップをさらに有する、
請求項３に記載の方法。
【請求項１０】
前記基準セルの延長タイマーがスタート又は再スタートされたとき、前記基準セルの禁止タイマーをスタート又は再スタートするステップを有し、
前記基準セルが情報基準として他のセカンダリセルにより用いられ、前記他のセカンダリセルの前記非アクティブ化タイマーがスタート又は再スタートされ、前記ＴＡＴが動いているとき、前記基準セルの前記延長タイマーをスタート又は再スタートするステップは、
前記基準セルが情報基準として他のセカンダリセルにより用いられ、前記他のセカンダリセルの前記非アクティブ化タイマーがスタート又は再スタートされ、前記ＴＡＴが動いていて、前記禁止タイマーが満了したとき、前記基準セルの前記延長タイマーをスタート又は再スタートするステップをさらに有する、
請求項４に記載の方法。
【請求項１１】
前記基準セルの延長タイマーがスタート又は再スタートされたとき、前記基準セルの禁止タイマーをスタート又は再スタートするステップを有し、
前記基準セルが情報基準として他のセカンダリセルにより用いられ、前記他のセカンダリセルに対してアップリンクグラントが割り当てられ、前記ＴＡＴが動いているとき、前記基準セルの前記非アクティブ化タイマーをスタート又は再スタートするステップは、
前記基準セルが情報基準として他のセカンダリセルにより用いられ、前記他のセカンダリセルに対してアップリンクグラントが割り当てられ、前記ＴＡＴが動いており、前記前記禁止タイマーが満了したとき、前記基準セルの前記非アクティブ化タイマーをスタート又は再スタートするステップと、を有し、
前記基準セルが情報基準として他のセカンダリセルにより用いられ、前記他のセカンダリセルに対してアップリンクグラントが割り当てられ、前記ＴＡＴが動いているとき、前記基準セルの前記延長タイマーをスタート又は再スタートするステップは、
前記基準セルが情報基準として他のセカンダリセルにより用いられ、前記他のセカンダリセルに対してアップリンクグラントが割り当てられ、前記ＴＡＴが動いており、前記前記禁止タイマーが満了したとき、前記基準セルの前記延長タイマーをスタート又は再スタートするステップと、を有する
請求項５に記載の方法。
【請求項１２】
前記基準セルが情報基準のために他のセカンダリセルにより用いられているとき、前記基準セルをアクティブ化しておくステップは、
前記基準セルが情報基準のために他のセカンダリセルにより用いられ、前記他のセカンダリセルがアクティブ化されているとき、通常のアクティブ化の時間的長さと比較してアクティブ化が時間的に長い基準セルの非アクティブ化タイマーを用いるステップであって、前記非アクティブ化タイマーはセカンダリセルのアクティブ化のための期間を与えるために用いられる、
請求項１に記載の方法。
【請求項１３】
前記基準セルが情報基準のために他のセカンダリセルにより用いられ、他のセカンダリセルがアクティブ化されたとき、通常のアクティブ化の時間的長さと比較して長いアクティブ化の時間的長さを有する基準セルの非アクティブ化タイマーを用いるステップは、
前記基準セルが情報基準のために他のセカンダリセルにより用いられ、前記他のセカンダリセルがアクティブ化され、前記他のセカンダリセルの又はそれを含む時間アライメント（ＴＡ）グループの時間アライメントタイマー（ＴＡＴ）が動いているとき、通常のアクティブ化の時間的長さと比較して長いアクティブ化の時間的長さを有する前記基準セルの非アクティブ化タイマーを用いるステップであって、前記ＴＡＴをアップリンク送信同期を示すために用いるステップを有する、
請求項１２に記載の方法。
【請求項１４】
前記基準セルが情報基準のために他のセカンダリセルにより用いられているとき、前記基準セルをアクティブ化しておくステップは、
前記基準セルが情報基準のため前記他のセカンダリセルにより用いられ、前記他のセカンダリセルがアクティブ化されたとき、前記基準セルの非アクティブ化タイマーを中断又は停止するステップであって、前記非アクティブ化タイマーは基準セルのアクティブ化の期間を与えるために用いられるステップを有する、
請求項１に記載の方法。
【請求項１５】
前記基準セルが情報基準として他のセカンダリセルにより用いられ、前記他のセカンダリセルがアクティブ化されたとき、前記基準セルの非アクティブ化タイマーを中断又は停止するステップは、
前記基準セルが情報基準のために他のセカンダリセルにより用いられ、前記他のセカンダリセルがアクティブ化され、前記他のセカンダリセルの又はそれを含む時間アライメント（ＴＡ）グループの時間アライメントタイマー（ＴＡＴ）が動いているとき、前記基準セルの非アクティブ化タイマーを中断又は停止するステップであって、前記ＴＡＴをアップリンク送信同期を示すために用いるステップを有する、
請求項１４に記載の方法。
【請求項１６】
前記基準セルは、タイミング基準セル又はパスロス基準セルである、
請求項１に記載の方法。
【請求項１７】
無線通信システムにおける移動デバイスのための基準セルのメンテナンス方法であって、
複数のセカンダリセルを設定するステップであって、前記複数のセカンダリセルの一セカンダリセルは、他のセカンダリセルの情報基準のための第１の基準セルであるステップと、
前記第１の基準セルが失われたとき、複数のセカンダリセルのうちの第１のセカンダリセルを新しい基準セルとして選択するステップとを有する方法。
【請求項１８】
前記第１のセカンダリセル情報を含む又は予め設定された基準セルの使用を示すメッセージを、前記無線通信システムのネットワークから受信するステップであって、前記予め設定された基準セルは前記ネットワークにより設定されたステップを有し、
前記第１の基準セルが失われたとき、複数のセカンダリセルのうちの第１のセカンダリセルを新しい基準セルとして選択するステップは、
前記第１の基準セルが失われたときに、前記メッセージに応じて前記第１のセカンダリセルを前記新しい基準セルとして選択するステップを有する、
請求項１７に記載の方法。
【請求項１９】
前記第１のセカンダリセル情報を含むメッセージは、前記基準セルの設定解消又は非アクティブ化のために用いられる、
請求項１８に記載の方法。
【請求項２０】
前記第１のセカンダリセルを示すメッセージを前記無線通信システムのネットワークに送信するステップであって、それにより前記ネットワークは示された第１のセカンダリセルを新しい基準セルとして設定するステップをさらに有する、
請求項１７に記載の方法。
【請求項２１】
前記第１のセカンダリセル情報を含むメッセージは、前記基準セルの設定解消又は非アクティブ化のために用いられる、
請求項２０に記載の方法。
【請求項２２】
前記第１の基準セルが失われたとき、複数のセカンダリセルのうちの第１のセカンダリセルを新しい基準セルとして選択するステップは、
前記第１の基準セルが失われたとき、複数のセカンダリセルまたはＴＡグループのうち、セル優先度に応じて第１の基準セルを含む時間アライメント（ＴＡ）グループから、前記複数のセカンダリセルのうちの第１のセカンダリセルを、新しい基準セルとして選択するステップを有する、
請求項１７に記載の方法。
【請求項２３】
前記セル優先度は前記複数のセカンダリセルのセル識別情報に応じて決定される、
請求項２２に記載の方法。
【請求項２４】
前記差に基づき前記第１の基準セルと前記新しい基準セルの間の基準パラメータを調整するステップをさらに有する、
請求項１７に記載の方法。
【請求項２５】
前記基準パラメータは、アップリンク送信タイミング、タイミング前進値、アップリンク送信パワー、及び／又はパスロス変更パラメータに関連する、
請求項２４に記載の方法。
【請求項２６】
前記基準セルは、タイミング基準セル又はパスロス基準セルである、
請求項１７に記載の方法。
【請求項２７】
無線通信システムにおける移動デバイスのための基準セルのメンテナンス方法であって、
複数のセカンダリセルを設定するステップであって、前記複数のセカンダリセルの一セカンダリセルは、他のセカンダリセルの情報基準のための基準セルであるステップと、
前記基準セルが失われると、前記他のセカンダリセルでの送信を停止するステップとを有する、方法。
【請求項２８】
前記基準セルが失われたとき、前記無線通信システムのネットワークから前記他のセカンダリセルにおけるアップリンク及び／又はダウンリンク送信の停止を示すメッセージを受信するステップと、
前記ＵＥが前記基準セルの喪失を検知したとき、前記ネットワークに前記基準セルの喪失を通知するメッセージを送信するステップとを有する、
請求項２７に記載の方法。
【請求項２９】
前記基準セルが失われると、前記他のセカンダリセルでの送信を停止するステップは、
前記他のセカンダリセルにおけるアップリンク送信を停止するステップと、
前記他のセカンダリセル又はそれを含む時間アライメント（ＴＡ）グループの時間アライメントタイマー（ＴＡＴ）を停止するステップであって、前記ＴＡＴはアップリンク送信同期を示すために用いられるステップと、
前記他のセカンダリセル又は前記ＴＡグループを非アクティブ化又は設定解除するステップとを有する、
請求項２７に記載の方法。
【請求項３０】
前記基準セルは、タイミング基準セル又はパスロス基準セルである、
請求項２７に記載の方法。
【発明の詳細な説明】
【技術分野】
【０００１】
本願は、無線通信システムにおいて利用される方法に関し、より具体的には、無線通信システムにおける基準セルのメンテナンス方法に関する。
【背景技術】
【０００２】
高いピークデータレートでデータを伝送する高度な高速無線通信システムに向けて、ＬＴＥ−ＡｄｖａｎｃｅｄシステムがＬＴＥの改良版として３ＧＰＰにより標準化された。ＬＴＥ−Ａｄｖａｎｃｅｄシステムは、パワー状態間の素早い切り替えをめざし、セルエッジにおける性能を改善し、帯域幅拡張、多地点協調送受信（COMP）、アップリンクＭＩＭＯ（multiple  input  multiple  output）などの事項を含む。
【０００３】
帯域幅拡張のために、広い帯域幅への拡張のために、キャリアアグリゲーションがＬＴＥ−Ａｄｖａｎｃｅｄシステムに導入され、広い伝送帯域（例えば、１００ＭＨｚまで）の支持とスペクトルアグリゲーションのために、２つ以上のコンポーネントキャリアがアグリゲートされる。キャリアアグリゲーション機能では、複数のコンポーネントキャリアが全体の広い帯域幅にアグリゲート（aggregate）され、ユーザ機器（ＵＥ）は、同時に送受信する複数のコンポーネントキャリアに対応する複数のリンクを確立できる。キャリアアグリゲーションでは、ＵＥはネットワークと有する無線リソースコントロール（ＲＲＣ）接続は１つだけである。ＲＲＣ接続確立／再確立／ハンドオーバするとき、サービス中のセル（serving  cell）はＮＡＳ（Non-Access  Stratum）モビリティ情報を提供し、ＲＲＣ接続再確立／ハンドオーバするとき、サービス中のセルはセキュリティ入力を提供する。このセルはプライマリセル（Ｐセル）と呼ばれる。ダウンリンクでは、Ｐセルに対応するコンポーネントキャリアはダウンリンクプライマリコンポーネントキャリア（Downlink  Primary  Component  Carrier、DL  PCC）であり、アップリンクでは、アップリンクプライマリコンポーネントキャリア（Uplink  Primary  Component  Carrier、UL  PCC）である。また、Ｐセル以外のセルはセカンダリセル（Ｓセル）と呼ばれる。
【０００４】
ＵＥは設定したセル（すなわち、Ｐセルと１つ又は複数のＳセル）をすべて使う必要はないので、ＵＥのパワーを節約するため、Ｓセルのみをアクティブ化する。ここで留意すべきは、Ｐセルは常にアクティブ化されていることである。一般的に、ｅＮＢは、ＵＥにシグナリング（例えば、メディアアクセスコントロール・コントロールエレメント（MAC  CE）又はアクティブ化／非アクティブ化コマンド）することによりＳセルをアクティブ化又は非アクティブ化する。また、ＵＥは、Ｓセルがアクティブ化された時に、非アクティブ化タイマーをスタートさせる。非アクティブ化タイマーが満了すると、Ｓセルは非アクティブ化される。言い換えると、非アクティブ化タイマーはＳセルをアクティブ化する期間を知らせる。ここで留意して欲しいことは、Ｓセルが非アクティブ化されると、ＵＥはＳセルの物理ダウンリンクコントロールチャネル（PDCCH）を監視する必要がないということである。さらに、ＵＥは、Ｓセルのアップリンク共有チャネル（UL-SCH）でサウンディングリファレンス信号（ＳＲＳ）を送信しなくてよく、Ｓセルのチャネルクオリティインジケータ（ＣＱＩ）、プリコーディングマトリックスインジケータ（ＰＭＩ）、ランクインジケータ（ＲＩ）、プリコーディングタイプインジケータ（ＰＴＩ）をレポートしない。
【０００５】
上記の通り、ＰセルとＳセルについてＵＥを設定することが可能である。それゆえ、Ｐセルと１つ又は複数のＳセルに対して、ＵＥから送信されたシグナルが基地局のカバレッジ下にある他のＵＥから送信されたシグナルと衝突しないように、サービス中の基地局とのアップリンクタイミングの同期化のため、複数のタイミングアライメントが必要である。ここで留意すべきは、同じタイミングアライメント（timing  alignment）を使うアップリンクを有するサービス中のセル（serving  cell）は、タイミングアライメント（ＴＡ）グループにグループ分けされることである。各タイミングアライメントグループは、ＵＬが設定された少なくとも１つのサービス中のセルを含み、サービス中の各セルのタイミングアライメントグループへのマッピングは、サービス中のｅＮＢにより行われる。アップリンクタイミングアライメントを実現するため、ＵＥは時間アライメントタイマー（ＴＡＴ）を有する。このタイマーの動作状態は、アップリンク送信がまだ想起されていることを示す。ＴＡＴはＴＡグループに適用される。ＴＡＴの機能は本技術分野で周知なので、ここでは説明しない。
【０００６】
ここで留意すべきは、キャリアアグリゲーションでは、ＵＥは、本開示では基準セル（reference  cell）と呼ぶ、あるセルから分かった情報を参照することにより、他のセルにその情報を適用できることである。例えば、基準セルは、タイミング基準セル又はパスロス（pathloss）基準セルであってもよい。タイミング基準セルの場合、ＵＥがセル＃ｘのダウンリンクタイミングをセル＃ｙのタイミング基準として使う場合、セル＃ｘはセル＃ｙのタイミング基準セルであると言う。パスロス基準セルについては、ＵＥは多数のパラメータに基づきアップリンク送信パワーを決定できる。パラメータの１つはパスロス推定であってもよい。ＵＥがセル＃ｘからのダウンリンクパスロス推定に基づいてセル＃ｙのアップリンク送信パワー（例えば、PUSCHやPUCCH送信パワー）を決定するとき、セル＃Ｘはセル＃Ｙのパスロス基準セルである。
【０００７】
Ｓセルはアクティブ状態または非アクティブ状態である。また、基準セルは解消（de-configured）でき、非アクティブ化でき、チャネル状態が悪くなる（例えば、無線リンク問題や無線リンク喪失（ＲＬＦ））こともあるため、ＵＥは基準セルを失うことがある。しかし、非アクティブ化された（又は解消された、又はチャネル状態が悪い）Ｓセル（すなわち、タイミング基準セルまたはパスロス基準セル）を参照すると、正確性が低下することもある。
【発明の概要】
【課題を解決するための手段】
【０００８】
この点を考慮して、本願は、上記の問題を解決するための、無線通信システムにおける基準セルのメンテナンス方法の適用を目的としている。
【０００９】
この目的は、請求項１，１９，２９に記載の基準セルのメンテナンス方法により達成される。従属項は、対応するさらなる発展や改良に関する。
【００１０】
以下の詳細な説明から明確に分かるように、無線通信システムにおける移動デバイスのための基準セルのメンテナンス方法は、複数のセカンダリセルを設定するステップであって、前記複数のセカンダリセルの一セカンダリセルは、他のセカンダリセルの情報基準のための基準セルであるステップと、前記基準セルが情報基準のために他のセカンダリセルにより用いられているとき、前記基準セルをアクティブ化しておくステップとを有する。
【図面の簡単な説明】
【００１１】
【図１】無線通信システムの一例を示す図である。
【図２】通信デバイスの一例を示す図である。
【図３】方法の一例を示すフローチャートである。
【図４】一実施形態による基準セルのメンテナンスを示す図である。
【図５】他の一実施形態による基準セルのメンテナンスを示す図である。
【図６】さらに他の一実施形態による基準セルのメンテナンスを示す図である。
【図７】さらに他の一実施形態による基準セルのメンテナンスを示す図である。
【図８】さらに他の一実施形態による基準セルのメンテナンスを示す図である。
【図９】さらに他の一実施形態による基準セルのメンテナンスを示す図である。
【図１０】方法の一例を示すフローチャートである。
【図１１】方法の一例を示すフローチャートである。
【発明を実施するための形態】
【００１２】
図１を参照する。図１は、無線通信システム１０を示すブロック図である。無線通信システム１０はＬＴＥ−Ａｄｖａｎｃｅｄシステムその他の移動通信システムであり、ネットワークと複数のユーザ機器（ＵＥ）から構成されている。図１において、ネットワークとＵＥは、単に無線通信システム１０の構造を示すために用いられている。実際には、ネットワークは、複数のｅＮＢ（evolved  base  station）を有するＥ−ＵＴＲＡＮ（evolved  universal  terrestrial  radio  access  network）であり得る。ＵＥは、携帯電話、コンピュータシステム、カメラ、テレビジョン、ハンドヘルドビデオゲーム機、音楽デバイス、無線センサなどのデバイスである。アプリケーションによっては、ＵＥは、バス、電車、飛行機、船、自動車などの移動環境で動作する固定のコンピューティングデバイスであってもよい。その他、ネットワークとＵＥは、送信方向に応じて送信器または受信器とみなせる。例えば、アップリンク（ＵＬ）の場合、ＵＥは送信器でありネットワークが受信器である。ダウンリンク（ＤＬ）の場合、ネットワークが送信器であり、ＵＥが受信器である。
【００１３】
図２は、通信デバイス２０の一例を示す図である。通信デバイス２０は図１に示したＵＥでもよいが、それには限定されない。通信デバイス２０は、マイクロプロセッサやＡＳＩＣ（Application  Specific  Integrated  Circuit）などの処理手段２００と、記憶ユニット２１０と、通信インタフェースユニット２２０とを含む。記憶ユニット２１０は、処理手段２００によるアクセスのために、プログラムコード２１４を記憶できる任意のデータ記憶デバイスである。記憶ユニット２１０の例としては、加入者識別モジュール（ＳＩＭ）、読み出し専用メモリ（ＲＯＭ）、フラッシュメモリ、ランダムアクセスメモリ（ＲＡＭ）、ＣＤ−ＲＯＭ、磁気テープ、ハードディスク、及び光データ記憶デバイスなどがあるが、これらに限定されない。通信インタフェースユニット２２０は、好ましくは、無線トランシーバであり、処理手段２００の処理結果により、ネットワークと無線信号（すなわち、Ｐセル又はＳセル１−ＳセルＮ）を交換できる。
【００１４】
図３を参照する。図３は、プロセス３０を示すフローチャートである。プロセス３０は、基準セルメンテナンスのため、ＵＥにおいて用いられる。方法３０は、プログラムコード２１４にでき、次のステップを含む：
ステップ３００：開始
ステップ３１０：複数のセカンダリセルを設定する。複数のセカンダリセルの一セカンダリセルは、他のセカンダリセルの情報基準のための基準セルである
ステップ３２０：基準セルが情報基準のために他のセカンダリセルにより用いられているとき、基準セルをアクティブ化しておく
ステップ３３０：終了。
【００１５】
プロセス３０によると、他のセルが基準セルを情報基準（例えば、パラメータ設定）として用いる限り、基準セルはアクティブ化状態に保持される。それゆえ、正しくない情報を参照してしまうことを避けるため、他のセルは非アクティブ化した基準セルを参照しない。
【００１６】
基準セルの設定及び／又は決定する場合、基準セルはネットワーク（例えば、ｅＮＢ）により決定される。一実施形態では、ネットワークはセルのための基準セルを示すメッセージ（例えば、無線リソースコントロール（ＲＲＣ）メッセージ）を送信する。また、ネットワークはセルの基準セルを黙示的に示すこともできる。例えば、クロスキャリアスケジューリングの場合、ネットワークは、ＲＲＣメッセージを用いることにより、セルのためのスケジューリングセルを設定できる。その後、スケジューリングセルは、スケジュールされたセルの基準セルとなる。他の一実施形態では、ネットワークは、グループ（例えば、タイミングアライメント（ＴＡ）グループ）のための基準セルを示すメッセージ（例えば、物理ダウンリンク制御チャンネル（ＰＤＣＣＨ）命令やＲＲＣメッセージ）を送信してもよい。このように、ＴＡグループ中のすべてのセルはこの基準セルを参照する。例えば、ネットワークは、ＵＥに、セルに対するランダムアクセス手順を開始するメッセージ（例えば、ＰＤＣＣＨ命令）を送る。ランダムアクセス手順が正しく完了した後は、このセルがＴＡグループ中の複数のセルのための基準セルになる。また、ネットワークはグループの基準セルを黙示的に示すこともできる。例えば、ネットワークは、セルに対してセル識別情報を割り当てる。セル識別情報が最も小さいセルは、グループ（例えば、ＴＡグループ）中の複数のセルの基準セルである。
【００１７】
他方、基準セルはＵＥにより決定されてもよい。この状況では、ＵＥは、（セルに対して、又はセルのグループ（ＴＡグループ）に対して）選択された基準セルについてネットワークに通知するメッセージ（例えば、ＲＲＣメッセージ）を送信できる実施形態によっては、（セルに対する、又はセルのグループに対する）基準セルは、（例えば、３ＧＰＰの技術仕様において）予め決められている。例えば、予め決められたセルは、Ｐセルまたはシステム情報ブロック２（ＳＩＢ２）リンクトセルである。
【００１８】
基準セルの決定／設定後、ＵＥが基準セルをアクティブ化するコマンド（例えば、アクティブ化／非アクティブ化コマンド）を受信すると、ＵＥは、基準セル、及び／又は基準セルのＳＲＳ送信、及び／又は基準セルのＣＱＩ／ＰＭＩ／ＲＩ／ＰＴＩレポーティング、及び／又は基準セルに対するＰＤＣＣＨモニタリング、基準セルのためのＰＤＣＣＨモニタリング、及び／又は基準セルのためのパワーヘッドルームレポート（ＰＨＲ）をアクティブ化し、及び／又は基準セルに対する無線リンクモニタリング（ＲＬＭ）を開始し、及び／又は基準セルに関連する非アクティブ化タイマーをスタートまたは再スタートする。
【００１９】
プロセス３０を実現するため、ＵＥは基準セルのアクティブ化時間を延長してもよい。図４乃至図９を参照する。これらは一実施形態による基準セルのメンテナンスを示す図である。図４において、ＵＥは、第１のＳセルにより設定され、第１のＳセルの基準セルとして、第２のＳセルで設定される。第１のＳセルと基準セルがアクティブ化されると、ＵＥは第１のＳセルと基準セルのための非アクティブ化タイマーをスタートさせる。非アクティブ化タイマーの機能は本技術分野で周知なので、ここでは説明しない。この状況では、イベントにより第１のＳセルがトリガーされ、それに関連する非アクティブ化タイマーがスタートされ、又は再スタートされると、ＵＥは、第１のＳセルに関連する非アクティブ化タイマーをスタート又は再スタートさせ、基準セルに関連する非アクティブ化タイマーをスタート又は再スタートさせる。よって、基準セルのアクティブ化時間が延長される。ここで留意するに、第１のＳセルに関連する非アクティブ化タイマーのスタート又は再スタートがトリガーするイベントには、ＵＥによる第１のＳセルをアクティブ化するアクティブ化／非アクティブ化コマンドの受信、及び／又は第１のＳセルのＰＤＣＣＨによるアップリンクグラント又はダウンリンク割り当ての表示、及び／又は第１のＳセルをスケジューリングするセルのＰＤＣＣＨによる第１のＳセルのためのアップリンクグラント又はダウンリンク割り当ての表示が含まれる。
【００２０】
他の一実施形態では、ＵＥは、基準セルのアクティブ化時間を延長するためタイマー（以下、延長タイマーと呼ぶ）をスタート又は再スタートさせる。ここで留意すべきは、延長タイマーはＳセルをアクティブ化する時間を与え、非アクティブ化タイマーとは異なる時間的長さである。基準セルに関連する延長タイマーと非アクティブ化タイマーとが満了すると、基準セルは非アクティブ化される。図５では、イベントにより第１のＳセルがトリガーされ、それに関連する非アクティブ化タイマーがスタートされ、又は再スタートされると、ＵＥは、第１のＳセルに関連する非アクティブ化タイマーをスタート又は再スタートさせ、基準セルに関連する延長タイマーをスタート又は再スタートさせる。ここで留意すべきは、第１のＳセルに関連する非アクティブ化タイマーのスタート又は再スタートをトリガーするイベントは、上記の通りであり、ここでは省略する。
【００２１】
他の一実施形態では、ＵＥは、第１のＳセルへのアップリンクグラント（uplink  grant）を検出すると、基準セルの非アクティブ化タイマー／延長タイマーをスタート又は再スタートする。図６では、第１のＳセル又はスケジューリングセルのＰＤＣＣＨが第１のＳセルのアップリンクグラントを示す場合、ＵＥは、基準セルのアクティブ化タイマーを延長するため、基準セルの非アクティブ化タイマー／延長タイマーをスタート又は再スタートする。
【００２２】
他の一実施形態では、ＵＥは、さらに、基準セルのアクティブ化時間を延長する前に、第１のＳセル又はそれを含むＴＡグループの時間アライメントタイマー（ＴＡＴ）が動いているか判断する。詳細は図７を参照されたい。ＵＥは、イベントが基準セルのタイマー（すなわち、非アクティブ化タイマー／延長タイマー）をトリガーしたか判断する。図４乃至図６に示したように、基準セルのタイマーの延長をトリガーするイベントには、ＵＥによる第１のＳセルをアクティブ化するアクティブ化／非アクティブ化コマンドの受信、及び／又は第１のＳセルのＰＤＣＣＨによるアップリンクグラント又はダウンリンク割り当ての表示、及び／又は第１のＳセルをスケジューリングするセルのＰＤＣＣＨによる第１のＳセルのためのアップリンクグラント又はダウンリンク割り当ての表示が含まれる。ＵＥは、上記のいずれかのイベントを検知すると、対応するＴＡＴが動いているか判断する。また、ＵＥは、対応するＴＡＴが動いているとき、基準セルのアクティブ化時間を延長するため、基準セルのアクティブ化／延長タイマーをスタート又は再スタートする。
【００２３】
他の一実施形態では、余計なタイマー（例えば、非アクティブ化タイマー又は延長タイマー）がスタート又は再スタートされないように、禁止タイマーを設ける。図８において、基準セルの延長タイマー／非アクティブ化タイマーがスタート又は再スタートされると、ＵＥは、禁止タイマーもスタート又は再スタートする。一例では、禁止タイマーがまだ動いていれば、ＵＥは、基準セルに関連する非アクティブ化タイマー／延長タイマーをスタート又は再スタートしない。他の一例では、禁止タイマーがまだ動いていれば、ＵＥは、基準セルのアクティブ化タイマーを延長しない。ここで留意すべきは、非アクティブ化タイマー／延長タイマーのスタート又は再スタートをトリガーするイベントは、上記の通りであり、ここでは省略する。
【００２４】
他の一実施形態では、基準セルの非アクティブ化タイマーの長さは少なくとも２つの値を有する。１つは通常の非アクティブ化タイマーのものであり、もう１つはロング非アクティブ化タイマーのものである。基準セルの非アクティブ化タイマーの長さは動的に変化し得る。例えば、図９において、基準セルがアクティブ化されると、基準セルに対して、通常の長さの非アクティブ化タイマーが使われる。基準セルを情報基準（information  reference）として用いている第１のＳセルがアクティブ化されると、基準セルのアクティブ化時間を延長するため、長さがながい非アクティブ化タイマーが基準セルに使われる。ここで留意すべきは、実施形態によっては、非アクティブ化タイマーの長さは無限に設定してもよい。さらに、基準セルを情報基準（information  reference）として用いる最後のＳセルが非アクティブ化（又は、設定解消（de-configured））されると、通常の長さのアクティブ化タイマーが基準セルに使われる。実施形態によっては、基準セルがアクティブ化され、（ＴＡグループの）対応するＴＡＴが動いていないとき、通常の長さの非アクティブ化タイマーが基準セルに使われる。他方、基準セルがアクティブ化され、対応するＴＡＴが動いている（running）とき、長さのながい非アクティブ化タイマーが基準セルに使われる。
【００２５】
実施形態によっては、ＵＥは基準セルの非アクティブ化タイマーの動き（running）を中断又は停止する。詳細には、基準セルを情報基準として用いるＳセルがアクティブ化されると、基準セルに関連する非アクティブ化タイマーがＳセルの非アクティブ化前に満了しないように、基準セルに関連する非アクティブ化タイマーは、中断（又は動きを停止）される。例えば、基準セルを情報基準として用いているセルがアクティブ化されると、基準セルに関連する非アクティブ化タイマーが中断（又は動きを停止）される。また、基準セルを情報基準として用いる最後のセルが非アクティブ化（又は設定解消）されると、基準セルに関連する非アクティブ化タイマーは再開、スタート、又は再スタートされる。
【００２６】
さらに、対応するＴＡＴが動いており、基準セルを基準として用いるＳセルがアクティブ化されると、基準セルに関連する非アクティブ化タイマーは中断（又は動きを停止）され、対応するＴＡＴが動いている間、基準セルはアクティブ化状態でいられる。ＴＡＴが満了すると、または基準セルを情報基準として用いる最後のセルが非アクティブ化（又は設定解消）されると、基準セルに関連する非アクティブ化タイマーは再開、スタート、又は再スタートされる。
【００２７】
ここで留意すべきは、どのセルも基準セルを情報基準として用いない場合、ＵＥは、基準セルを非アクティブ化するアクティブ化／非アクティブ化コマンドを受信すると、または基準セルの非アクティブ化タイマーと延長タイマーが満了すると、基準セルを非アクティブ化する。基準セルが非アクティブ化されると、ＵＥは、基準セルに対応するタイマー（例えば、非アクティブ化タイマー／延長タイマー）を停止し、及び／又は基準セルに対応するＨＡＲＱバッファをフラッシュし、及び／又は基準セルのＳＲＳを送信せず、及び／又は基準セルのＣＱＩ／ＰＭＩ／ＲＩ／ＰＴＩをレポートせず、及び／又は基準セルのＵＬ−ＳＣＨで送信せず、及び／又は基準セルでのＰＤＣＣＨ及び／又はＰＤＳＣＨの受信を停止し、及び／又は基準セルにおいて進行中のランダムアクセス手順を停止し、及び／又は基準セルのＰＨＲを送信せず、及び／又は対応するスケジューリングセルのダウンリンク制御シグナリング（例えば、ＰＤＣＣＨ）をモニタしない。
【００２８】
図１０を参照する。図１０は、プロセス１００を示すフローチャートである。プロセス１００は、基準セルメンテナンスのため、ＵＥにおいて用いられる。方法１００は、プログラムコード２１４にでき、次のステップを含む：
ステップ１０００：開始
ステップ１０１０：複数のセカンダリセルを設定する。複数のセカンダリセルの一セカンダリセルは、他のセカンダリセルの情報基準のための第１の基準セルである
ステップ１０２０：第１の基準セルが失われたら、複数のセカンダリセルのうちの第１のセカンダリセルを新しい基準セルとして選択する
ステップ１０３０：終了。
【００２９】
プロセス１００によると、基準セルが失われると、ＵＥは他のセルを新しい基準セルとして置き換える。一実施形態では、基準セルは、無線リンク喪失（ＲＬＦ）が起こり、非アクティブ化され、設定解消され、及び／又は削除されることにより、失われる。例えば、ＵＥは、基準セルを設定解消／非アクティブ化するメッセージを受信し、又は基準セルに関連する非アクティブ化タイマーが満了する。
【００３０】
ここで留意するべきは、実施形態によっては、基準セルの喪失はＵＥにより検知され、ＵＥはネットワーク（例えば、ｅＮＢ）に通知するメッセージ（例えば、ＰＨＹ、ＭＡＣ、ＲＲＣメッセージ）を送信する。例えば、ＵＥは、Ｓセルにおける無線リンク問題（Radio  Link  Problem）や無線リンク喪失（Radio  Link  Failure）を検知すると、ネットワークに通知するメッセージを送信する。
【００３１】
実施形態によっては、新しい基準セルは、ネットワーク（例えば、ｅＮＢ）により決定され、ネットワークはＵＥに選択された基準セルに関して通知するメッセージ（例えば、ＰＤＣＣＨ、ＭＡＣ  ＣＥ、又はＲＲＣメッセージ）を送信する。例えば、ネットワークは、元の基準セルが失われた場合に備えて、バックアップの基準セルを事前設定してもよい。例えば、スケジューリングセルがバックアップの基準セルとなり得る。他の実施形態では、ネットワークは、基準セルを設定解消又は非アクティブ化するメッセージを送信し、このメッセージで新しい基準セルに関してＵＥに通知する。次に、ＵＥは、このメッセージで通知されたセルを基準セルとして設定する。
【００３２】
他方、新しい基準セルはＵＥにより決定されてもよく、ＵＥは選択された基準セルに関してネットワークに通知するメッセージを送信する。例えば、ＵＥは、基準セルのＲＬＦに関して、ネットワークに通知するメッセージを送信し、同一メッセージで新しい基準セルに関してネットワークに通知する。一実施形態では、ＵＥは、同一グループ（例えば、ＴＡグループ）中のアクティブ化されたセルのうちの一セルを、新しい基準セルになるものとして自立的に決定する。一実施形態では、ＵＥは所定のセル（例えば、Ｐセル又はSIB2-Link  DL）を、Ｓセルの新しい基準セルとして選択する。一実施形態では、ＵＥは、同一グループ中のアクティブ化されたセルのうちの優先度が最も高いセルを、新しい基準セルになるものとして決定してもよい。例えば、セルの優先度は、そのセルがネットワークにより追加または設定された時に、ＵＥに割り当て／設定され得る。例えば、チャネル状態（例えば、ＣＱＩ，ＰＭＩ，ＲＩ，ＰＴＩ，ＲＳＲＰ，ＲＳＲＱ，ＢＥＲ等）がよりよいセルが、高い優先度を有していてもよい。例えば、セル識別情報（例えば、cell_index,  CellIndex,  ScellIndex）が小さいセルが、高い優先度を有していてもよい。すなわち、セル優先度はセルの識別情報により決定される。この場合、セルは、（ＵＥごとの）cell_indexで設定され、Ｐセルのcell_indexは常に最小（例えば、０）である。例えば、キャリア周波数（又は中心周波数）が低いセルが、高い優先度を有してもよい。例えば、非アクティブ化タイマーが長く設定されたセルが高い優先度を有してもよい。例えば、広い帯域幅を有するセルが高い優先度を有してもよい。例えば、（例えば、ＴＤＤシステムにおいて）ＤＬサブフレーム（又は、実施形態によってはＵＬサブフレーム）が多く設定されたセルが高い優先度を有しても良い。さらに、ＴＤＤ  ＵＬ−ＤＬコンフィギュレーションインデックスを用いてこれらのセルに優先順位をつけてもよい。例えば、SIB2-Linked  DLが最高の優先度を有しても良い。この場合、古い基準セルが失われると、SIB2-Linked  DLが新しい基準セルになる。他の一実施形態では、ネットワークは上記ルールに基づき新しい基準セルを決定し、決定された基準セルに関してＵＥに通知するメッセージを送信する。
【００３３】
さらに、新しい基準セルが決定されると、ＵＥは、古い基準セルと新しい基準セルとの間の違いに基づいて、基準パラメータを調整する。例えば、ＵＥは、そのアップリンク送信タイミングを適宜調整し、対応するタイミング前進値を適宜変更し、前のアップリンク送信のタイミングと比較して関係する精度で送信タイミングを調整できる。例えば、ＵＥは、ＤＬタイミング基準の変更をＤＬパスの移動とみなしてもよい。ＵＥは、アップリンクタイミングをすぐには変更しないが、ＤＬパス移動と同様に、アップリンクタイミングを徐々に調節する。例えば、ＵＥは、ＵＬ送信パワーを適宜変更し、またはパスロス変更パラメータ（pathloss  change  parameters）（例えば、dl-PathlossChange）を適宜調整する。
【００３４】
図１１を参照する。図１１は、プロセス１１０を示すフローチャートである。プロセス１１０は、基準セルメンテナンスのため、ＵＥにおいて用いられる。方法１１０は、プログラムコード２１４にでき、次のステップを含む：
ステップ１１００：開始
ステップ１１１０：複数のセカンダリセルを設定する。複数のセカンダリセルの一セカンダリセルは、他のセカンダリセルの情報基準のための基準セルである
ステップ１１２０：基準セルが失われると、他のセカンダリセルでの送信を停止する
ステップ１１３０：終了。
【００３５】
プロセス１１０によれば、ＵＥは、基準セルが失われると、基準セルを情報基準として用いるＳセルでの送信（の一部）を停止する。一実施形態では、ＵＥは、基準セルが失われると、Ｓセルでのアップリンク送信を停止する。他の一実施形態では、ＵＥは、ＴＡグループの対応ＴＡＴを停止し、又はＳセルを非アクティブ化／設定解消する。
【００３６】
ここで留意点として、上記の通り、基準セルの喪失はネットワークによって判断されてもよい。この場合、ネットワークは、ＵＥに、基準セルを情報基準として用いるＳセルでの（ＵＬ及び／又はＤＬ）送信を停止するメッセージを送信してもよい。実施形態によっては、基準セルの喪失はＵＥにより検知されてもよい。そのとき、ＵＥは、任意的に、基準セルの喪失に関してネットワークに通知するメッセージを送信し、及び／又は基準セルを情報基準として用いる対応するＳセルでの（ＵＬ及び／又はＤＬの）データ送信を停止してもよい。例えば、ＵＥは、ＳセルでのＵＬ送信を停止し、及び／又はＳセルでＳＲＳを送信せず、及び／又はＳセルでＵＬ−ＳＣＨを送信しない。
【００３７】
結論として、本発明は、情報基準が不正確になることを回避するための、基準セルメンテナンスの方法を提供する。
【図１】
2013102432.tif 000003
【図２】
2013102432.tif 000004
【図３】
2013102432.tif 000005
【図４】
2013102432.tif 000006
【図５】
2013102432.tif 000007
【図６】
2013102432.tif 000008
【図７】
2013102432.tif 000009
【図８】
2013102432.tif 000010
【図９】
2013102432.tif 000011
【図１０】
2013102432.tif 000012
【図１１】
2013102432.tif 000013